(57)【特許請求の範囲】
【請求項１】
数本の主骨と、数本の連動骨と、前記主骨と前記連動骨とを接続するための複数の接続手段と、複数の固定手段とを備え、
各前記接続手段は、前記主骨と前記連動骨とを挟む２つの平板状本体を有し、
各前記固定手段は、着脱可能に前記主骨及び前記連動骨を挟んだ２つの前記平板状本体を連結する
ことを特徴とする傘骨。
【請求項２】
前記固定手段は、着脱可能に前記平板状本体にねじ止めされることを特徴とする請求項１に記載の傘骨。
【請求項３】
一方の前記平板状本体に貫通孔が設けられ、他方の前記平板状本体にねじ孔が設けられ、
前記固定手段は、前記貫通孔を通って前記ねじ孔にねじ止めるねじ棒を有することを特徴とする請求項２に記載の傘骨。
【請求項４】
各前記接続手段に、数本の前記ねじ棒が固定され、
前記主骨及び前記連動骨の対応端部を前記ねじ棒によって接続することを特徴とする請求項３に記載の傘骨。
【請求項５】
各前記平板状本体に、貫通孔が設けられ、
前記固定手段は、一方の前記平板状本体に設けられた前記貫通孔に取り付けられる内孔が形成された中空筒状ソケットと、他方の前記平板状本体に設けられた前記貫通孔を通って前記ソケットに挿入される差しピンとからなり、
前記ソケットの内孔が画成する周壁に径方向に延伸する係止穴が複数設けられ、
前記差しピンの外周面より外向きに突き出て前記係止穴に嵌入される凸部が複数形成されることを特徴とする請求項１に記載の傘骨。
【請求項６】
前記差しピンが前記内孔に緊密に嵌入され、
前記差しピンの外周面に軸方向に切り欠かれて外側に向かって互いに平行する２つのカット面を有することを特徴とする請求項５に記載の傘骨。
【請求項７】
前記ソケット及び前記差しピンとして可撓性材料よりつくられ、
複数の前記係止穴は、互いに軸方向に間隔をおいてそれぞれが周方向に環状に延伸され、
複数の前記凸部は、前記係止穴に対応して互いに軸方向に間隔をおいてそれぞれが周方向に環状に延伸されることを特徴とする請求項６に記載の傘骨。
【請求項８】
各前記平板状本体に、貫通孔が設けられ、
前記固定手段は、各前記貫通孔を通って固定される差しピンを有することを特徴とする請求項１に記載の傘骨。
【請求項９】
前記差しピンは、軸方向にくさび形に切り込んで互いに外向きに弾力変形することができる軸脚を複数形成し、各前記軸脚の前記貫通孔に挿入する端部の外周面より抜け止めのつばが径方向に張り出していることを特徴とする請求項８に記載の傘骨。
【請求項１０】
各前記平板状本体に、貫通孔が設けられ、
前記固定手段は、各前記貫通孔を通って固定される差しピンと、前記差しピンが挿入されて定位される挿通孔付ワッシャとを有することを特徴とする請求項１に記載の傘骨。
【請求項１１】
前記差しピンは、軸方向に切り込んで互いに外向きに弾力変形することができる軸脚を複数形成し、各前記軸脚の前記貫通孔に挿入する端部の外周面より複数のつばが径方向に外向きに張り出し、
前記ワッシャの前記挿通孔側内周面より前記軸脚間の切欠に対応して角度間隔をおいて複数のリブが径方向に内向きに形成されていることを特徴とする請求項１０に記載の傘骨。
【発明の詳細な説明】
【技術分野】
【０００１】
本発明は、例えば傘などの中棒から張り出し、傘布を支える傘骨に関する。
【背景技術】
【０００２】
傘には多数の骨が使用され、これらの骨は互いに連結部材で連結され組立てられる。図１０、１１に示す如く、従来例の傘骨１０は、互いに第１の連結部材１４で連結された複数の主骨１１と、主骨１１同士間に連結された複数の連動骨１２とを備え、主骨１１の連結部と連動骨１２とを第２の連結部材１３、１３、・・・で連結してなる。第２の連結部材１３は、その内側に対応する主骨１１が摺動可能に嵌接する滑り溝１３１ａと、滑り溝１３１ａの両側壁より延伸して接続耳１３１ｂ、１３１ｂ、・・・を設けた連結片１３１を有し、リベット１３２で対応する接続耳１３１ｂに設けられた貫通孔を挿通して対応する主骨１１と連動骨１２とが連結される。
【先行技術文献】
【特許文献】
【０００３】
【特許文献１】登録実用新案第３０６８５６４号公報
【発明の概要】
【発明が解決しようとする課題】
【０００４】
従来例において傘を差すとき骨同士間の連結部に常に大きな力が働くので、連結部材１３や傘骨１０が変形したり壊れやすいが、リベット１３２などを取り外すことが難しいため、修理し難い問題点がある。
【０００５】
本発明は、上記問題点に鑑みてなされたものであり、傘骨や連結部材を簡単に取り替えることができると共に骨同士が強固に連結される傘骨を提供することを目的とする。
【課題を解決するための手段】
【０００６】
上記目的を達成するために、本発明にかかる傘骨は、数本の主骨と、数本の連動骨と、前記主骨と前記連動骨とを接続する複数の接続手段と、複数の固定手段とを、備え、各前記接続手段は、前記主骨と前記連動骨とを挟んで接続する２つの平板状本体を有し、各前記固定手段は、着脱可能に前記主骨及び前記連動骨を挟んだ２つの前記平板状本体を連結することを特徴とする。
【０００７】
本発明にかかる傘骨では、一例として、前記固定手段は、着脱可能に前記平板状本体にねじ止めされることを特徴とする。
【０００８】
該例において、一方の前記平板状本体に貫通孔が設けられ、他方の前記平板状本体にねじ孔が設けられ、前記固定手段は、前記貫通孔を通って前記ねじ孔にねじ止めるねじ棒を有することが好ましい。
【０００９】
該例において、各前記接続手段に数本の前記ねじ棒が固定され、前記主骨及び前記連動骨の対応端部を前記ねじ棒によって前記平板状本体に連結することが好ましい。
【００１０】
また、本発明にかかる傘骨では、他の一例として、各前記平板状本体に貫通孔が設けられ、前記固定手段は、一方の前記平板状本体に設けられた前記貫通孔に取り付けられる内孔が形成された中空筒状ソケットと、他方の前記平板状本体に設けられた前記貫通孔を通って前記ソケットに挿入される差しピンとからなり、前記ソケットの内孔が画成する周壁に径方向に延伸する係止穴が複数設けられ、前記差しピンの外周面より外向きに突き出て前記係止穴に嵌入される凸部が複数形成されることを特徴とする。
【００１１】
該例では、前記差しピンが前記内孔に緊密に嵌入され、前記差しピンの外周面に軸方向に切欠かれて外側に向かって互いに平行する２つのカット面を有することが好ましい。
【００１２】
また、前記ソケット及び前記差しピンとして可撓性材料よりつくられ、複数の前記係止穴は、互いに軸方向に間隔をおいてそれぞれが周方向に環状に延伸され、複数の前記凸部は、前記係止穴に対応して互いに軸方向に間隔をおいてそれぞれが周方向に環状に延伸されることが好ましい。
【００１３】
また、本発明にかかる傘骨では、他の一例として、各前記平板状本体に貫通孔が設けられ、前記固定手段は、各前記貫通孔を通って固定される差しピンを有することを特徴とする。
【００１４】
該例において、前記差しピンは、軸方向にくさび形に切り込んで互いに外向きに弾力変形することができる軸脚を複数形成し、各前記軸脚の前記貫通孔に挿入する端部の外周面より抜け止めのつばが径方向に張り出すことが好ましい。
【００１５】
また、本発明にかかる傘骨では、他の一例として、各前記平板状本体に貫通孔が設けられ、前記固定手段は、各前記貫通孔を通って固定される差しピンと、前記差しピンが挿入されて定位される挿通孔付ワッシャとを有することを特徴とする。
【００１６】
該例において、前記差しピンは、軸方向に切り込んで互いに切欠をおいて軸脚を複数形成し、各前記軸脚の前記貫通孔に挿入する端部の外周面より複数のつばが径方向に外向きに張り出し、前記ワッシャの前記挿通孔側内周面より前記軸脚間の切欠に対応して角度間隔をおいて複数のリブが径方向に内向きに形成されることが好ましい。
【発明の効果】
【００１７】
本発明にかかる傘骨によれば、着脱可能な固定手段によって主骨及び連動骨を接続手段に連結することができるので、固定手段を取り外すことによって、変形したり壊れた接続手段或いは固定手段などの連結部材や傘骨を取り替えることができ、修理を簡単に施すことができる。従って、簡単に傘骨の構成要素を取り替えることができ、傘の耐用寿命を大幅に延ばすことができる。
【図面の簡単な説明】
【００１８】
【図１】本発明例の傘骨の展開する状態を示す側面図である。
【図２】図１の傘骨における主骨と連動骨の接続を示す一部断面図である。
【図３】主骨と連動骨を接続する接続手段と固定手段の第１の実施例を示す分解断面図である。
【図４】接続手段と固定手段の第２の実施例を示す分解断面図である。
【図５】図４の固定手段の他例を示す斜視図である。
【図６】接続手段と固定手段の第３の実施例を示す組立断面図である。
【図７】図６の固定手段を示す斜視図である。
【図８】接続手段と固定手段の第４の実施例を示す組立断面図である。
【図９】図８の固定手段を示す斜視図である。
【図１０】従来例の傘骨を示す側面図である。
【図１１】図１０における第２の連結部材を示す図である。
【発明を実施するための形態】
【００１９】
以下、図面を参照しながら本発明の実施の形態について説明する。なお、同一構成及び機能を有する構成要素については、同一番号を付してその説明を省略する。
【００２０】
本発明にかかる傘骨は、図１ないし図３に示す実施例において、数本の主骨２と、数本の受骨と、数本の連動骨３と、主骨２と連動骨３とを接続する複数の接続手段４と複数の固定手段５とを備え、数本の主骨２が順に連結され、伸縮自在の中棒の上ろくろ（図示せず）に連結された第１の主骨の中間部に中棒の下ろくろ（図示せず）に連結された受骨が連結され、連動骨３は対応する主骨と受骨と連結されており、中棒の伸縮により例えば３折り傘に構成されてなる。
【００２１】
以上により構成される伸縮自在な傘骨構造は、図１ないし図３に基づき説明する第１の実施例のみならず、図４及び図５に基づき後述する第２実施例、図６及び図７に基づき後述する第３実施例並びに図８及び図９に基づき後述する第４実施例においても共通の基本的骨組構造とされている。従って、後述する第２〜４実施例の説明において、上記の基本的傘骨構造の説明を援用し、重複説明を省略する。
【００２２】
（第１実施例）
この傘骨１は、図２に示すように、接続手段４と固定手段５などで主骨２の一端部２ａ及び連動骨３の一端部３ａを接続してなる。
【００２３】
各接続手段４は、図３に示すように、対応する主骨２と連動骨３を挟んで接続する２つの平板状本体４１を有し、その一方の平板状本体４１に貫通孔４１ａが設けられ、他方の平板状本体４１にねじ孔４１ｂが設けられている。なお、貫通孔４１ａとしてその内周面にねじ切りされた孔でもよい。
【００２４】
この例において固定手段５として、貫通孔４１ａを通ってねじ孔４１ｂにねじ止めるねじ棒５３を有することが好ましく、固定手段５を着脱可能に、接続手段４の平板状本体４１にねじ止めるようにする。
【００２５】
また、この例において各接続手段４に固定されるねじ棒５３は数本あり、それらのねじ棒５３によって主骨２及び連動骨３の一端部２ａ、３ａを固定することにより、外力がそれらのねじ棒５３のいずれかに集中的にかかるとき、それらのねじ棒５３が傘の開閉において傘骨が回転する支点、作用点又は力点となる。
【００２６】
上記のように構成された傘骨は、その損壊した構成要素を取り替えるとき、固定手段５を取り外せば、修理を施すことができるようになるので、傘とりわけ高価傘の耐用寿命を大幅に延長することができ、長持ちすることができる。
【００２７】
（第２実施例）
この傘骨１Ａにおいて、図４、５に示すように、各接続手段４Ａは、２つの平板状本体４１、４１を有し、各平板状本体４１に複数の貫通孔４１ａ、４１ａ、・・・が設けられている。固定手段５Ａは、一方の平板状本体４１に設けられた貫通孔４１ａに取り付けられる中空筒状ソケット５４と、他方の平板状本体４１に設けられた貫通孔４１ａを通ってソケット５４に挿入される差しピン５５とからなり、ソケット５４に差しピン５５が嵌挿する内孔５４１が形成され、径大な頭部に一の字形溝５４０が形成されている。
【００２８】
この例においてソケット５４の内孔５４１が画成する周壁に径方向に延伸する係止穴５６が複数例えば４つ設けられ、差しピン５５の外周面より外向きに突き出て係止穴５６に嵌入される凸部５７が複数例えば４つ形成されている。図５に示すように、各係止穴５６は、互いに軸方向に間隔をおいてそれぞれが周方向に環状に延伸され、各凸部５７は、各係止穴５６に対応して互いに軸方向に間隔をおいてそれぞれが周方向に環状に延伸されて形成されている。また、差しピン５５の外周面に軸方向に削り取られて外側に向かって互いに平行する２つのカット面５８、５８を有する。
【００２９】
この例において、ソケット５４及び差しピン５５として例えばゴム、プラスチックなどの非金属の可撓性材料よりつくられる。この場合、差しピン５５の挿入端部を内孔５４１を押し広げ気味に強制挿通して密着嵌合するよう差しピン５５の軸幅は内孔５４１の径幅よりもやや大きいとする。このように、差しピン５５がソケット５４の内孔５４１に緊密に挿入されて、凸部５７が係止穴５６に嵌入されて係止される。
【００３０】
上記構成された傘骨を修理する場合、ドライバなどの工具を用いてソケット５４の頭部を強制的に回して凸部５７を係止穴５６から脱離させると、固定手段５Ａを取り外すことができる。従って、上記実施例と同様に、簡単に修理を施すことができ、傘の耐用寿命を大幅に延長することができる。
【００３１】
（第３実施例）
この傘骨において、図６、７に示すように、各接続手段４Ａは、２つの平板状本体４１、４１を有し、各平板状本体４１に複数の貫通孔４１ａ、４１ａ、・・・が設けられている。固定手段５Ｂは、一方の平板状本体４１に設けられた貫通孔４１ａに挿入されて取り付けられる、差しピン５５Ｂを有する。
【００３２】
差しピン５５Ｂは、図７に示すように、軸方向にくさび形に切り込んで互いに外向きに弾力変形することができる軸脚５５１を複数形成し、各軸脚５５１の対応貫通孔４１ａに挿入する端部の外周面より抜け止めのつば５５２が径方向に張り出している。
【００３３】
上記構成により、この実施例も、上記実施例と同様に、簡単に修理を施すことができ、傘の耐用寿命を大幅に延長することができる。
【００３４】
（第４実施例）
この傘骨において、図８、９に示すように、各接続手段４Ａは、２つの平板状本体４１、４１を有し、各平板状本体４１に複数の貫通孔４１ａ、４１ａ、・・・が設けられている。
【００３５】
固定手段５Ｃは、各貫通孔４１ａを通って固定される差しピン５５Ｃと、差しピン５５Ｃが挿入されて定位される挿通孔５９０付ワッシャ５９とを有する。
【００３６】
差しピン５５Ｃは、軸方向に切り込んで互いに外向きに弾力変形することができる軸脚５５１を複数形成し、各軸脚５５１の対応貫通孔４１ａに挿入する端部の外周面より複数のつば５５２が径方向に外向きに張り出し、ワッシャ５９の挿通孔５９０側内周面より軸脚５５１間の切欠５５１ａに対応して角度間隔をおいて複数のリブ５９１が径方向に内向きに形成されている。
【００３７】
上記構成により、この実施例も、上記実施例と同様に、簡単に修理を施すことができ、傘の耐用寿命を大幅に延長することができる。
【符号の説明】
【００３８】
１、１Ａ  傘骨
２  主骨
２ａ  一端部
３  連動骨
３ａ  一端部
４、４Ａ  接続手段
４１  平板状本体
４１ａ  貫通孔
４１ｂ  ねじ孔
５、５Ａ、５Ｂ、５Ｃ  固定手段
５３  ねじ棒
５４  ソケット
５４０  溝
５４１  内孔
５５、５５Ｂ、５５Ｃ  差しピン
５５１  軸脚
５５１ａ  切欠
５５２  つば
５６  係止穴
５７  凸部
５８  カット面
５９  ワッシャ
５９０  挿通孔
５９１  リブ
【図１】
0005175921.tif 000002
【図２】
0005175921.tif 000003
【図３】
0005175921.tif 000004
【図４】
0005175921.tif 000005
【図５】
0005175921.tif 000006
【図６】
0005175921.tif 000007
【図７】
0005175921.tif 000008
【図８】
0005175921.tif 000009
【図９】
0005175921.tif 000010
【図１０】
0005175921.tif 000011
【図１１】
0005175921.tif 000012